(57)【要約】【課題】特定の種類の紙葉類を所定枚数ずつ処理する紙葉類処理を効率よく行う。【解決手段】紙葉類処理システムを、複数の紙葉類を受ける受入部と、受入部に受けた複数の紙葉類を１枚ずつ搬送する搬送部と、搬送部によって搬送される紙葉類を識別計数する識別部と、搬送部によって搬送された紙葉類を集積するための複数の集積部と、識別部による識別結果に基づいて紙葉類を種類別に分類して集積部に集積しながら集積枚数が所定枚数に到達した集積部では集積された紙葉類が抜き取られるまで新たな紙葉類の集積を禁止する分類処理を、受入部に受けた全ての紙葉類を対象として実行した後、２つ以上の集積部に集積されている紙葉類を対象として分類処理を再実行することにより、１つの集積部に所定枚数以上の紙葉類を集積可能である場合にこれを報知する制御部とによって構成する。【選択図】  図７
2016133935.tif 000002
【特許請求の範囲】
【請求項１】
複数の紙葉類を受ける受入部と、
前記受入部に受けた前記複数の紙葉類を１枚ずつ搬送する搬送部と、
前記搬送部によって搬送される紙葉類を識別計数する識別部と、
前記搬送部によって搬送された紙葉類を集積するための複数の集積部と、
前記識別部による識別結果に基づいて紙葉類を種類別に分類して前記集積部に集積しながら集積枚数が所定枚数に到達した集積部では集積された紙葉類が抜き取られるまで新たな紙葉類の集積を禁止する分類処理を、前記受入部に受けた全ての紙葉類を対象として実行した後、２つ以上の集積部に集積されている紙葉類を対象として前記分類処理を再実行することにより、１つの集積部に前記所定枚数以上の紙葉類を集積可能である場合にこれを報知する制御部と
を備えることを特徴とする紙葉類処理システム。
【請求項２】
前記所定枚数の紙葉類を結束して結束紙幣を作成する結束部
をさらに有し、
前記制御部は、前記分類処理を実行した後、前記２つ以上の集積部に集積されている紙葉類を対象として前記分類処理を再実行することにより前記結束紙幣を作成可能である場合に、これを報知する
ことを特徴とする請求項１に記載の紙葉類処理システム。
【請求項３】
前記分類処理は、金種が同じで金種以外の種類が異なる紙幣が前記２つ以上の集積部に分類して集積されて、各集積部に所定枚数の紙幣が集積される度に、この所定枚数の紙幣が抜き取られる処理を含むことを特徴とする請求項１又は２に記載の紙葉類処理システム。
【請求項４】
前記分類処理は、種類が同じで表裏又は天地の方向が異なる紙葉類が前記２つ以上の集積部に分類して集積されて、各集積部に所定枚数の紙葉類が集積される度に、この所定枚数の紙葉類が抜き取られる処理を含むことを特徴とする請求項１又は２に記載の紙葉類処理システム。
【請求項５】
前記制御部は、前記２つ以上の集積部に集積されている紙葉類を対象として前記分類処理を再実行する際に、前記２つ以上の集積部に集積されている紙葉類の表裏又は天地の方向を揃えて前記受入部に載置するよう促す報知を行うことを特徴とする請求項４に記載の紙葉類処理システム。
【請求項６】
前記識別部は、識別計数する紙葉類の識別番号を読み取って、
前記制御部は、前記紙葉類の識別番号と前記紙葉類が集積された集積部を示す情報とを関連付けた紙葉類管理情報を作成すると共に、前記分類処理を再実行するために前記集積部から前記紙葉類が抜き取られた際には前記紙葉類管理情報を更新する
ことを特徴とする請求項１〜５のいずれか１項に記載の紙葉類処理システム。
【請求項７】
前記分類処理を再実行するために前記集積部から前記紙葉類が抜き取られた際には、該紙葉類に関する情報を前記紙葉類管理情報から削除することを特徴とする請求項６に記載の紙葉類処理システム。
【請求項８】
前記分類処理を再実行するために前記集積部から前記紙葉類が抜き取られた際には、該紙葉類に関する情報に前記分類処理が再実行された旨を示す情報を付加することを特徴とする請求項６に記載の紙葉類処理システム。
【請求項９】
紙葉類処理システムによって紙葉類を処理する紙葉類処理方法であって、
受入部に受けた複数の紙葉類を識別部によって識別計数する識別計数工程と、
前記受入部に受けた全ての紙葉類を対象として、前記識別部による識別結果に基づいて紙葉類を種類別に分類して集積部に集積しながら集積枚数が所定枚数に到達した集積部では集積された紙葉類が抜き取られるまで新たな紙葉類の集積を禁止する分類処理を実行する分類処理実行工程と、
前記分類処理を実行した後、２つ以上の集積部に集積されている紙葉類を対象として前記分類処理を再実行することにより、１つの集積部に前記所定枚数以上の紙葉類を集積可能である場合にこれを報知する報知工程と
を含んだことを特徴とする紙葉類処理方法。
【発明の詳細な説明】
【技術分野】
【０００１】
この発明は、特定の種類の紙葉類を所定枚数ずつ処理する紙葉類処理を実行する紙葉類処理システム及び紙葉類処理方法に関する。
【背景技術】
【０００２】
従来、銀行等の金融機関では、所定の種類の紙幣を、表裏を揃えた状態で所定枚数ずつ束ねて結束した結束紙幣を作成する紙幣処理装置が利用されている。例えば、特許文献１には、特定の種類の紙幣を結束対象紙幣として、紙幣反転部によって表裏を揃えてから結束用集積部に集積し、集積枚数が所定枚数に到達すると結束部により結束する紙幣処理装置が開示されている。この装置では、１つの結束部に対して複数の結束用集積部を設けることにより、１つの結束用集積部に集積された結束対象紙幣を結束している間も、別の結束用集積部に結束対象紙幣を集積することができるので、紙幣処理を停止することなく継続して行うことができる。
【０００３】
特許文献１に開示された紙幣処理装置は紙幣反転部を有し、紙幣の表裏を揃えてから集積するようになっているが、紙幣反転部は着脱可能なユニットで構成されており、紙幣処理装置を紙幣反転部のない構成で利用することも可能となっている。この紙幣処理装置では、１つの結束部に対して３つの結束用集積部が設けられているので、紙幣反転部のない構成で利用する場合も、紙幣処理を停止することなく継続して行うことができる。具体的には、例えば、第１の結束用集積部に表向きの紙幣を集積して、第２の結束用集積部に裏向きの紙幣を集積する。そして、第１の結束用集積部で表向きの紙幣の集積枚数が所定枚数に到達した際には、これを結束部によって結束する処理を行いながら、第３の結束用集積部に表向きの紙幣を集積することができる。続いて、第２の結束用集積部で裏向きの紙幣の集積枚数が所定枚数に達した際には、これを結束する処理を行いながら、表向きの紙幣の結束処理を終えて空になった第１の結束用集積部に裏向きの紙幣を集積することができる。
【先行技術文献】
【特許文献】
【０００４】
【特許文献１】特開２０１１−１１３１５２号公報
【発明の概要】
【発明が解決しようとする課題】
【０００５】
しかしながら、上記従来技術では紙幣を効率よく結束できない場合がある。例えば、結束対象紙幣を１００枚ずつ結束するように設定すると、処理対象とする全ての紙幣を処理した後、集積枚数が１００枚に到達しなかった結束対象紙幣は、結束用集積部に残された状態となる。例えば、第１の結束用集積部に７０枚の表向きの紙幣が残り、第２の結束用集積部に４０枚の裏向きの紙幣が残っている場合には、表裏を揃えることで１００枚の紙幣から成る結束紙幣をもう１つ作成できるにも拘わらず、結束紙幣が作成されることなく紙幣処理を終了することになる。
【０００６】
本発明は、上述した従来技術による問題点を解消するためになされたもので、特定の種類の紙葉類を所定枚数ずつ処理する紙葉類処理を効率よく行うことができる紙葉類処理システム及び紙葉類処理方法を提供することを目的とする。
【課題を解決するための手段】
【０００７】
上述した課題を解決し、目的を達成するため、本発明は、紙葉類処理システムであって、複数の紙葉類を受ける受入部と、前記受入部に受けた前記複数の紙葉類を１枚ずつ搬送する搬送部と、前記搬送部によって搬送される紙葉類を識別計数する識別部と、前記搬送部によって搬送された紙葉類を集積するための複数の集積部と、前記識別部による識別結果に基づいて紙葉類を種類別に分類して前記集積部に集積しながら集積枚数が所定枚数に到達した集積部では集積された紙葉類が抜き取られるまで新たな紙葉類の集積を禁止する分類処理を、前記受入部に受けた全ての紙葉類を対象として実行した後、２つ以上の集積部に集積されている紙葉類を対象として前記分類処理を再実行することにより、１つの集積部に前記所定枚数以上の紙葉類を集積可能である場合にこれを報知する制御部とを備えることを特徴とする。
【０００８】
また、本発明は、上記発明において、前記所定枚数の紙葉類を結束して結束紙幣を作成する結束部をさらに有し、前記制御部は、前記分類処理を実行した後、前記２つ以上の集積部に集積されている紙葉類を対象として前記分類処理を再実行することにより前記結束紙幣を作成可能である場合に、これを報知することを特徴とする。
【０００９】
また、本発明は、上記発明において、前記分類処理は、金種が同じで金種以外の種類が異なる紙幣が前記２つ以上の集積部に分類して集積されて、各集積部に所定枚数の紙幣が集積される度に、この所定枚数の紙幣が抜き取られる処理を含むことを特徴とする。
【００１０】
また、本発明は、上記発明において、前記分類処理は、種類が同じで表裏又は天地の方向が異なる紙葉類が前記２つ以上の集積部に分類して集積されて、各集積部に所定枚数の紙葉類が集積される度に、この所定枚数の紙葉類が抜き取られる処理を含むことを特徴とする。
【００１１】
また、本発明は、上記発明において、前記制御部は、前記２つ以上の集積部に集積されている紙葉類を対象として前記分類処理を再実行する際に、前記２つ以上の集積部に集積されている紙葉類の表裏又は天地の方向を揃えて前記受入部に載置するよう促す報知を行うことを特徴とする。
【００１２】
また、本発明は、上記発明において、前記識別部は、識別計数する紙葉類の識別番号を読み取って、前記制御部は、前記紙葉類の識別番号と前記紙葉類が集積された集積部を示す情報とを関連付けた紙葉類管理情報を作成すると共に、前記分類処理を再実行するために前記集積部から前記紙葉類が抜き取られた際には前記紙葉類管理情報を更新することを特徴とする。
【００１３】
また、本発明は、上記発明において、前記分類処理を再実行するために前記集積部から前記紙葉類が抜き取られた際には、該紙葉類に関する情報を前記紙葉類管理情報から削除することを特徴とする。
【００１４】
また、本発明は、上記発明において、前記分類処理を再実行するために前記集積部から前記紙葉類が抜き取られた際には、該紙葉類に関する情報に前記分類処理が再実行された旨を示す情報を付加することを特徴とする。
【００１５】
また、本発明は、紙葉類処理システムによって紙葉類を処理する紙葉類処理方法であって、受入部に受けた複数の紙葉類を識別部によって識別計数する識別計数工程と、前記受入部に受けた全ての紙葉類を対象として、前記識別部による識別結果に基づいて紙葉類を種類別に分類して集積部に集積しながら集積枚数が所定枚数に到達した集積部では集積された紙葉類が抜き取られるまで新たな紙葉類の集積を禁止する分類処理を実行する分類処理実行工程と、前記分類処理を実行した後、２つ以上の集積部に集積されている紙葉類を対象として前記分類処理を再実行することにより、１つの集積部に前記所定枚数以上の紙葉類を集積可能である場合にこれを報知する報知工程とを含んだことを特徴とする。
【発明の効果】
【００１６】
本発明によれば、例えば、同じ種類の紙葉類の表裏を揃えて１００枚ずつ結束して結束紙葉類を作成したい場合に、受入部に受けた複数の紙葉類を識別して、第１の集積部に表向きの同じ種類の紙葉類を集積して集積枚数が１００枚に到達する度に集積された紙葉類を抜き取るまで新たな紙葉類の集積を禁止すると共に、第２の集積部に裏向きの同じ種類の紙葉類を集積して集積枚数が１００枚に到達する度に集積された紙葉類を抜き取るまで新たな紙葉類の集積を禁止する分類処理を実行して、この分類処理を終えた後、第１の集積部に集積された表向きの紙葉類と、第２の集積部に集積された裏向きの紙葉類との向きを揃えることで結束紙葉類をもう１つ作成できる状態にあれば、これが報知されるので、効率よく結束紙葉類を作成することができる。また、例えば、同じ種類の紙葉類を１００枚ずつまとめるバッチ処理を行う場合にも、同様に分類処理を実行して、この分類処理を終えた後、複数の集積部に集積された紙葉類をまとめて同じ種類の紙葉類１００枚をまとめられる状態にあれば、これが報知されるので、効率よく紙葉類をまとめることができる。
【００１７】
また、本発明によれば、報知を受けて２つ以上の集積部から紙葉類を抜き取って分類処理を再実行する場合に、再処理する紙葉類の表裏を揃えるよう指示する情報等、分類処理を再実行する際に必要となる情報がガイダンスとして表示されるので、作業を容易に進めることができる。
【００１８】
また、本発明によれば、各処理（取引）で処理された紙葉類の識別番号等の情報が登録された紙葉類管理情報を作成して管理することができる。そして、分類処理を再実行する際には、例えば、再処理する紙葉類の情報を紙葉類管理情報から削除して、再処理した紙葉類の識別番号等の情報を登録し直して管理することができる。また、例えば、再処理する紙葉類の情報に所定情報を付加しておいて、この情報を残したまま再処理した紙葉類の情報を追加したり、所定情報を付加した情報を再処理した紙葉類の情報で上書きしたりすることにより、再処理した紙葉類の情報を紙葉類管理情報に登録することができる。これにより、各処理に属する紙葉類の最新の情報を紙葉類管理情報に登録して厳正に管理することができる。
【図面の簡単な説明】
【００１９】
【図１】図１は、本実施形態に係る紙幣処理システムの外観を示す斜視図である。
【図２】図２は、紙幣処理システムの内部構成概略を示す断面模式図である。
【図３】図３は、紙幣処理システムの機能概略を説明するためのブロック図である。
【図４】図４は、紙幣処理システムで行われる紙幣処理の流れを示すフローチャートである。
【図５】図５は、記憶部で管理される紙幣管理情報の例を示す図である。
【図６】図６は、紙幣処理の確定時に行われる紙幣管理情報の更新の例を示す図である。
【図７】図７は、操作表示部に表示される画面例を示す図である。
【図８】図８は、再処理の開始時に行われる紙幣管理情報の更新の例を示す図である。
【図９】図９は、再処理の開始後に行われる紙幣管理情報の更新の例を示す図である。
【図１０】図１０は、エラー発生時の再処理で行われる紙幣管理情報の更新の例を示す図である。
【発明を実施するための形態】
【００２０】
以下に、添付図面を参照して、本発明に係る紙葉類処理システム及び紙葉類処理方法について説明する。本発明は、紙幣、小切手等の有価証券、商品券、帳票等、様々な紙葉類を処理対象とすることができるが、以下では、紙幣を処理対象とする場合を例に説明する。
【００２１】
まず、図１〜図３を参照しながら紙幣処理システム（紙葉類処理システム）３００について説明する。図１は、紙幣処理システム３００の外観を示す斜視図である。図２は、紙幣処理システム３００の内部構成概略を示す断面模式図である。図３は、紙幣処理システム３００の機能概略を説明するためのブロック図である。
【００２２】
図１及び図２に示すように、紙幣処理システム３００は、紙幣分類装置１００と紙幣結束装置２００とによって構成されている。紙幣分類装置１００は分類処理を実行する機能を有する。分類処理として、例えば、処理対象となる紙幣を識別計数して、結束対象となる紙幣を紙幣結束装置２００へ送ると共に、結束対象外の紙幣をスタッカ６０（６０ａ〜６０ｄ）に分類して集積する処理が行われる。紙幣結束装置２００は、紙幣分類装置１００から送られてきた結束対象の紙幣を受けて、結束用集積部２１０（２１０ａ〜２１０ｃ）に分類して集積し、集積枚数が所定枚数（例えば１００枚）に到達する度に、これを結束して結束紙幣を作成する結束処理を実行する機能を有する。なお、本明細書で言う分類処理は結束処理を含む概念として定義され、紙幣分類装置１００で行われる分類処理と、紙幣結束装置２００で行われる結束処理とを含む紙幣処理システム３００による処理を分類処理と呼ぶ。
【００２３】
紙幣分類装置１００は、複数の紙幣を受け入れる受入部１１と、受入部１１に受けた紙幣を１枚ずつ筐体１内へ取り込む取込部１０とを有する。また、図２に示すように、紙幣分類装置１００は、筐体１内に取り込んだ紙幣を搬送する搬送部７０と、搬送部７０で搬送される紙幣を識別計数する識別部５５と、偽券等のリジェクト紙幣を排出するための第１リジェクト部６５（６５ａ、６５ｂ）とを有する。第１リジェクト部６５は２つのリジェクト部６５ａ、６５ｂを有し、例えば、リジェクト原因に応じて、２つのリジェクト部６５ａ、６５ｂにリジェクト紙幣を分類して排出するようになっている。
【００２４】
識別部５５は、搬送部７０を搬送される紙幣の金種、新旧、方向、真偽、正損等を識別して計数すると共に、各紙幣を識別するために各紙幣に印刷された識別情報である記番号を文字認識する機能を有している。なお、ここで言う方向には紙幣の表裏の向き及び天地の向きの両方が含まれる。
【００２５】
図１に示すように、スタッカ６０ａ〜６０ｄは前面に開口を有する。紙幣処理システム３００を利用するオペレータは、スタッカ６０ａ〜６０ｄ内の紙幣を開口から抜き取ることができる。また、各スタッカ６０ａ〜６０ｄには、内部に集積する紙幣に関する情報を表示するための個別表示部６２ａ〜６２ｄが設けられている。また、図２に示すように、各スタッカ６０ａ〜６０ｄには、内部に紙幣が集積されているか否かを検知するためのセンサ７３が設けられている。
【００２６】
図２に示すように、搬送部７０には、搬送部７０を搬送される紙幣を分岐するための複数の分岐部材７１が設けられている。また、搬送部７０には、搬送部７０の紙幣を検知するための複数のセンサ７２が設けられている。なお、センサ７２は、受入部１１にも設けられており、受入部１１内の紙幣の有無を検知できるようになっている。
【００２７】
紙幣結束装置２００は、搬送部７０を搬送されて紙幣分類装置１００から送られてきた結束対象の紙幣を集積するための３つの結束用集積部２１０ａ〜２１０ｃと、結束用集積部２１０ａ〜２１０ｃに集積された所定枚数の紙幣を結束帯で結束して結束紙幣を作成する結束部２５０と、リジェクト紙幣を排出するために搬送部７０の末端に設けられた第２リジェクト部２９０とを有している。結束用集積部２１０ａ〜２１０ｃには、結束用集積部２１０ａ〜２１０ｃ内の紙幣の有無を検知するためのセンサ２１３（図３参照）が設けられている。なお、第２リジェクト部２９０は、第１リジェクト部６５よりも下流側でリジェクトする必要が生じたリジェクト紙幣を排出するために利用される。例えば、斜行等の搬送異常によってスタッカ６０及び結束用集積部２１０に向けて分岐できなかった紙幣が、リジェクト紙幣として第２リジェクト部２９０に排出される。
【００２８】
また、紙幣結束装置２００は、結束用の紙幣を結束用集積部２１０ａ〜２１０ｃから結束部２５０へ搬送するための結束前搬送部２２０と、結束部２５０で結束された結束紙幣を搬送するための結束後搬送部２６０と、結束後搬送部２６０で搬送された結束紙幣を収納する結束紙幣集積部２７０と、束放出部２８０（図１参照）とを有している。束放出部２８０によって結束紙幣集積部２７０を装置前面側へ突出させることにより、オペレータが、結束紙幣集積部２７０に収納された結束紙幣を装置外へ取り出せるようになっている。
【００２９】
結束前搬送部２２０は、結束用集積部２１０ａ〜２１０ｃに集積された紙幣の集積枚数が所定枚数（例えば１００枚）に到達すると、これを抜き取って結束部２５０に搬送する機能を有する。結束部２５０は、結束前搬送部２２０によって搬送された所定枚数の紙幣に結束帯を巻き掛けて、当該結束帯を熱溶着等によって止めることで紙幣を結束して結束紙幣とする。
【００３０】
また、紙幣処理（取引）の終了時に、結束されずに結束用集積部２１０ａ〜２１０ｃに残った端数紙幣がある場合には、結束前搬送部２２０が、これを抜き取って端数紙幣返却口２８５（図１参照）へ搬送する。オペレータは、端数紙幣返却口２８５に搬送された紙幣を装置外へ抜き取ることができる。
【００３１】
図２に示すように、結束後搬送部２６０は、結束部２５０によって結束された結束紙幣を把持搬送する把持搬送部２６１と、把持搬送部２６１によって把持搬送された結束紙幣を上方に搬送する結束紙幣リフト部２６２とを有している。結束紙幣リフト部２６２によって搬送された結束紙幣は、図示しない押出機構によって押し出されて、上方から結束紙幣集積部２７０内に落下して集積される。
【００３２】
紙幣処理システム３００は、例えばタッチパネル式の液晶表示装置から成る操作表示部５９を有している。操作表示部５９により、各種の情報を出力表示するとともに、各種の情報を入力できるようになっている。
【００３３】
図３に示すように、紙幣処理システム３００は、上述した構成に加えて、様々な情報を記憶する記憶部５６と、識別部５５で識別された紙幣の識別結果等の情報を記憶部５６に保存して管理する制御部５０とを有している。紙幣処理システム３００で実行される各処理は、制御部５０が各部の機能及び動作を制御することによって実現される。
【００３４】
なお、図１では、紙幣分類装置１００と、紙幣分類装置１００に接続された１台の紙幣結束装置２００とによって構成された紙幣処理システム３００を示しているが、紙幣処理システム３００では、紙幣分類装置１００に複数台の紙幣結束装置２００を接続することも可能となっている。紙幣結束装置２００が複数台接続された場合の構成、上述した各部の機能及び動作、紙幣分類装置１００及び紙幣結束装置２００によって行われる紙幣処理については、例えば、本願出願人による特開２０１１−１１３１５２号公報に開示しているため詳細な説明は省略し、以下では、図４〜図１０を参照しながら、本実施形態に係る紙幣処理の内容について詳細を説明する。
【００３５】
図４〜図１０では、米国紙幣を処理対象とする場合を例に説明する。また、紙幣分類装置１００では、スタッカ６０ａに正券かつ表向きの５０ドル紙幣を集積して、スタッカ６０ｂに正券かつ裏向きの１０ドル紙幣を集積して、各スタッカ６０ａ、６０ｂの紙幣の集積枚数が所定枚数に到達する度に、集積された所定枚数の紙幣を抜き取るバッチ処理を行うものとする。バッチ処理では、紙幣の集積枚数が所定枚数に到達したスタッカ６０については、このスタッカ６０に集積されている紙幣が抜き取られるまで、このスタッカ６０への新たな紙幣の集積を禁止するよう制御される。なお、紙幣分類装置１００で行われるバッチ処理は、紙幣処理システム３００で行われる分類処理に含まれる処理である。以下の説明では、バッチ処理における所定枚数を１００枚として説明する。
【００３６】
また、紙幣結束装置２００では、結束用集積部２１０ａ〜２１０ｃを利用して、表裏を同じ向きに揃えた１００ドル紙幣を所定枚数ずつ結束する結束処理を行うものとする。具体的には、２つの結束用集積部２１０ａ、２１０ｂを利用して、正券の１００ドル紙幣を表向き紙幣と裏向き紙幣とに分類して集積する。そして、いずれかの集積部で集積枚数が所定枚数に到達すると、結束部２５０によってこれを結束する。結束処理では、紙幣の集積枚数が所定枚数に到達した結束用集積部２１０については、この結束用集積部２１０に集積されている紙幣が抜き取られるまで、この結束用集積部２１０への新たな紙幣の集積を禁止するよう制御される。結束用集積部２１０に集積された所定枚数の紙幣については、この紙幣を抜き取ってから結束してもよいし、結束用集積部２１０に集積された状態の紙幣を結束してから結束した紙幣を抜き取ってもよい。なお、紙幣結束装置２００で行われる結束処理は、紙幣処理システム３００で行われる分類処理に含まれる処理である。以下の説明では、結束処理における所定枚数を１００枚として説明する。
【００３７】
また、紙幣結束装置２００では、１００枚に到達した種類の紙幣の集積先を、予備としていた集積部に変更することも可能となっている。具体的には、例えば、結束用集積部２１０ｃを予備として、結束用集積部２１０ａに表向き紙幣を集積して、結束用集積部２１０ｂに裏向き紙幣を集積する。そして、表向き紙幣の集積枚数が１００枚に到達した際には、結束部２５０によってこれを結束する処理を行いながら、予備としていた結束用集積部２１０ｃに表向き紙幣を集積する。そして、結束用集積部２１０ａに紙幣を集積可能な状態になると、結束用集積部２１０ａを予備の集積部とする。これにより、表向きの紙幣を結束する処理を行っている間も、表向きの紙幣を集積する処理を継続することができる。
【００３８】
なお、正券かつ表向きの５０ドル紙幣、正券かつ裏向きの１０ドル紙幣、正券の１００ドル紙幣に該当しない米国紙幣は、紙幣分類装置１００のスタッカ６０ｃ、６０ｄに集積される。ここで、表向き紙幣とは、集積した際に、肖像画が印刷された面が上面になる紙幣であり、裏向き紙幣とは、集積した際に、肖像画が印刷された面が下面となる紙幣である。
【００３９】
図４は、紙幣処理システム３００で行われる紙幣処理の流れを示すフローチャートである。まず、処理対象とする複数の紙幣を紙幣分類装置１００の受入部１１に受けて、これらの紙幣を識別計数して分類する分類処理を開始する（ステップＳ１）。受入部１１に受けた紙幣を１枚ずつ取込部１０によって筐体１内に取り込んで、搬送部７０によって搬送し、識別部５５によって紙幣の金種、方向、正損、真偽等を識別して計数すると共に、紙幣の記番号を取得する。識別結果に基づいて、偽券等のリジェクト紙幣は第１リジェクト部６５へ排出して、結束対象に含まれない紙幣は、スタッカ６０に種類別に分類して収納する。結束対象の紙幣は、紙幣分類装置１００から紙幣結束装置２００へ送られて、結束用集積部２１０に集積される。また、斜行等の搬送異常によりスタッカ６０及び結束用集積部２１０に集積できなかったリジェクト紙幣は、搬送部７０の末端に設けられた第２リジェクト部２９０へ排出する。
【００４０】
制御部５０は、識別部５５によって得られた各紙幣の金種等の識別結果及び記番号と、識別結果に基づいて集積されたスタッカ６０ａ〜６０ｄ又は結束用集積部２１０ａ〜２１０ｃを特定する情報とを、紙幣管理情報（紙葉類管理情報）として、記憶部５６内に保存して管理する。紙幣管理情報では、各紙幣の情報が、紙幣処理毎（取引毎）に区別して管理される。紙幣処理が開始されると、制御部５０は、この処理に各紙幣処理を識別するための取引番号を付与すると共に、この処理で識別計数された各紙幣に関する情報を、先に付与した取引番号と関連付けて紙幣管理情報に登録する（ステップＳ２）。
【００４１】
図５は、記憶部５６で管理される紙幣管理情報の例を示す図である。紙幣管理情報には、紙幣処理システム３００で行われた各紙幣処理を区別するための取引番号と、各紙幣処理で処理された全ての紙幣の記番号と、各紙幣の集積先又はＩＤ情報を示す分類先と、各紙幣の処理状況を示すステータスと、各紙幣の金種、正損及び表裏とが含まれている。ここで、分類先として登録されるＩＤ情報には、各結束紙幣を区別するための識別情報である結束ＩＤと、バッチ処理で抜き取られた各紙幣束を区別するための識別情報であるバッチＩＤとが含まれるが詳細は後述する。
【００４２】
図５に示す紙幣管理情報では、紙幣分類装置１００の４つのスタッカ６０ａ〜６０ｄが、それぞれＳＴＫ１〜ＳＴＫ４として管理されている。また、紙幣結束装置２００の３つの結束用集積部２１０ａ〜２１０ｃは、ＳｔＳＴＫ１〜ＳｔＳＴＫ３として管理されている。なお、スタッカ６０ａ〜６０ｄを示す「ＳＴＫ」はスタッカ（Ｓｔａｃｋｅｒ）から作成した略語であり、結束用集積部を示す「ＳｔＳＴＫ」は、結束（Ｓｔｒａｐ）用であることを示す「Ｓｔ」と「ＳＴＫ」とを結合したものである。
【００４３】
紙幣管理情報に含まれるステータスとは、各紙幣の処理状況を示す情報で、各紙幣の処理状況が「未確定」、「仮確定」及び「確定」のいずれの状況にあるかを示している。具体的には、新たに紙幣処理を開始して、識別部５５によって識別計数された紙幣がスタッカ６０又は結束用集積部２１０に集積された直後は、ステータス情報が「未確定」となる。また、スタッカ６０に集積された未確定の紙幣の集積枚数が所定枚数に達したために抜き取られた場合や、結束用集積部２１０に集積された未確定の紙幣の集積枚数が所定枚数に達して結束部２５０による結束に伴って抜き取られた場合に、ステータス情報が「未確定」から「仮確定」に変更される。
【００４４】
受入部１１に受けた全ての紙幣が識別部５５によって識別計数された後、オペレータが識別計数結果を承認する操作を行って紙幣処理（取引）を確定すると、この紙幣処理に属する全ての紙幣のステータス情報が「未確定」又は「仮確定」から「確定」に変更される。一方、オペレータによって紙幣処理がキャンセルされると、この紙幣処理中に紙幣管理情報に登録された全ての紙幣情報が修正される。具体的には、キャンセルの対象となる紙幣情報を削除してもよいし、キャンセルの対象となる紙幣情報に、キャンセルされたことを示す新たな情報を付加してもよい。このように、紙幣処理システム３００では、紙幣処理が確定されるかキャンセルされるかが不明である間は、スタッカ６０に集積されている紙幣及び結束用集積部２１０に収納されている紙幣の状況を「未確定」とする一方で、スタッカ６０から抜き取られた紙幣及び結束用集積部２１０から抜き取られた結束紙幣の状況を「仮確定」として区別すると共に、紙幣処理が承認されて取引が確定すると全ての紙幣の状況を「確定」に更新する。
【００４５】
図５（ａ）の例は、紙幣処理開始後に紙幣管理情報に登録された４枚の紙幣の情報を示している。この紙幣処理の取引番号は００１で、１枚目の紙幣は、記番号がＡ００１の正券かつ表向きの５０ドル紙幣で、スタッカ６０ａ（図中「ＳＴＫ１」）に集積されたことを示している。２枚目の紙幣は、記番号がＡ００２の正券かつ裏向きの１０ドル紙幣で、スタッカ６０ｂ（ＳＴＫ２）に集積されたことを示している。３枚目の紙幣は、記番号がＡ００３の正券かつ表向きの１００ドル紙幣で、結束用集積部２１０ａ（ＳｔＳＴＫ１）に集積されたことを示している。４枚目の紙幣は、記番号がＡ００４の正券かつ裏向きの１００ドル紙幣で、結束用集積部２１０ｂ（ＳｔＳＴＫ２）に集積されたことを示している。
【００４６】
制御部５０は、紙幣処理を行っている間、集積枚数が１００枚に到達した紙幣を抜き取るバッチ処理の対象となるスタッカ６０ａ、６０ｂと、集積枚数が１００枚に到達した紙幣を結束する結束処理の対象となる結束用集積部２１０ａ〜２１０ｃとを対象に、集積枚数を監視する（図４ステップＳ３）。
【００４７】
集積枚数が１００枚に到達した集積部がなければ（ステップＳ３；Ｎｏ）、受入部１１に紙幣が残っているか否かの確認が行われる（ステップＳ６）。そして、受入部１１に紙幣が残っている間（ステップＳ６；Ｙｅｓ）、ステップＳ１〜Ｓ５の処理が繰り返し行われる。
【００４８】
一方、結束用集積部２１０ａ〜２１０ｃに集積された紙幣の集積枚数が１００枚に到達すると（ステップＳ３；Ｙｅｓ）、結束部２５０により、１００枚の紙幣を結束する処理が行われる（ステップＳ４）。結束用集積部２１０ａ〜２１０ｃの紙幣が抜き取られて結束されると、これらの紙幣の分類先及びステータスが更新される（ステップＳ５）。
【００４９】
具体的には、図５（ａ）に示す状態から、さらに受入部１１の紙幣を識別計数して分類する処理が継続されて、記番号Ａ２００の正券かつ表向きの１００ドル紙幣が結束用集積部２１０ａに集積された結果、結束用集積部２１０ａに集積された紙幣の集積枚数が１００枚に到達すると、結束部２５０により、これら１００枚の紙幣を結束する処理が行われる。結束部２５０によって結束紙幣が作成されると、制御部５０は、この結束紙幣に、各結束紙幣を識別するための結束ＩＤを付与する。例えば、結束紙幣に「ＳｔＮ００１」の結束ＩＤが付与されると、紙幣管理情報では、結束用集積部２１０ａから抜き取られて結束された１００枚の紙幣の分類先が「ＳｔＮ００１」に更新されると共に、ステータスが「未確定」から「仮確定」に更新される。なお、結束ＩＤ「ＳｔＮ００１」は、結束（Ｓｔｒａｐ）を示す「Ｓｔ」と、番号（Ｎｕｍｂｅｒ）を示す「Ｎ」と、３桁の連続番号とを結合したものである。
【００５０】
例えば、図５（ａ）に示す結束処理前の紙幣管理情報では、記番号Ａ００３の紙幣の分類先は、結束用集積部２１０ａを示す「ＳｔＳＴＫ１」であり、ステータスは「未確定」となっている。この記番号Ａ００３の紙幣は他の紙幣と共に結束部２５０によって結束されて、作成された結束紙幣に「ＳｔＮ００１」の結束ＩＤが付与されたため、図５（ｂ）に示す結束処理後の紙幣管理情報では、記番号Ａ００３の紙幣の分類先が「ＳｔＮ００１」に更新され、ステータスが「仮確定」に更新されている。また、図５（ｂ）に示すように、１００枚目の紙幣として結束ＩＤ「ＳｔＮ００１」の結束紙幣に含まれることになった記番号Ａ２００の紙幣についても、分類先が「ＳｔＮ００１」、ステータスが「仮確定」に更新されている。
【００５１】
同様に、スタッカ６０ａ、６０ｂに集積された紙幣の集積枚数が１００枚に到達すると（図４ステップＳ３；Ｙｅｓ）、オペレータにより、これらの紙幣を抜き取る作業が行われる（ステップＳ４）。スタッカ６０ａ、６０ｂから紙幣が抜き取られると、紙幣管理情報では、これらの紙幣の分類先及びステータスが更新される（ステップＳ５）。
【００５２】
具体的には、図５（ｂ）に示す状態から、さらに受入部１１の紙幣を識別計数して分類する処理が継続されて、記番号Ａ２５０の正券かつ裏向きの１０ドル紙幣がスタッカ６０ｂに集積された結果、スタッカ６０ｂに集積された紙幣の集積枚数が１００枚に到達すると、制御部５０がこれを報知する。集積枚数が１００枚に到達したことを認識したオペレータにより、スタッカ６０ｂから紙幣が抜き取られると、制御部５０はセンサ７３によりこの抜き取りを検知して、抜き取られた紙幣束に、各紙幣束を識別するためのバッチＩＤを付与する。例えば、抜き取られた紙幣束に「ＢａＮ００１」のバッチＩＤが付与されると、図５（ｃ）に示す紙幣管理情報では、スタッカ６０ｂから抜き取られた１００枚の紙幣の分類先が「ＢａＮ００１」に更新されると共に、ステータスが「未確定」から「仮確定」に更新される。なお、バッチＩＤ「ＢａＮ００１」は、バッチ（Ｂａｔｃｈ）処理を示す「Ｂａ」と、番号（Ｎｕｍｂｅｒ）を示す「Ｎ」と、３桁の連続番号とを結合したものである。
【００５３】
例えば、図５（ａ）に示す、スタッカ６０ｂから紙幣束を抜き取る前の紙幣管理情報では、記番号Ａ００２の紙幣の分類先は、スタッカ６０ｂを示す「ＳＴＫ２」であり、ステータスは「未確定」となっている。この記番号Ａ００２の紙幣は、他の紙幣と共にオペレータによって抜き取られて、抜き取られた紙幣束に「ＢａＮ００１」のバッチＩＤが付与されたため、図５（ｃ）に示す抜き取り後の紙幣管理情報では、記番号Ａ００２の紙幣の分類先が「ＢａＮ００１」に更新され、ステータスが「仮確定」に更新されている。また、図５（ｃ）に示すように、１００枚目の紙幣としてバッチＩＤ「ＢａＮ００１」の紙幣束に含まれることになった記番号Ａ２５０の紙幣についても、分類先が「ＢａＮ００１」、ステータスが「仮確定」に更新されている。
【００５４】
受入部１１に紙幣が残っている間（図４ステップＳ６；Ｙｅｓ）、これらの処理（ステップＳ１〜Ｓ５）が繰り返し行われる。そして、受入部１１の全ての紙幣を識別計数する処理を完了すると（ステップＳ６；Ｎｏ）、続いて、複数の集積部に残っている紙幣の合計枚数を確認する処理が行われる（ステップＳ７）。具体的には、制御部５０は、３つの結束用集積部２１０ａ〜２１０ｃのうち２つを利用して集積されている正券かつ表向きの１００ドル紙幣と、正券かつ裏向きの１００ドル紙幣との合計枚数が１００枚を超えるか否かを判定する。
【００５５】
なお、バッチ処理を行うスタッカ６０でも、バッチ処理の終了後に、２つ以上のスタッカ６０に残されている紙幣を対象として、以下に説明する再処理を行うことが可能となっているが、説明を簡単にするため、以下では、結束用集積部２１０を例に説明を続けることとする。
【００５６】
結束用集積部２１０ａ〜２１０ｃに残っている紙幣の合計枚数が１００枚に満たない場合には（ステップＳ７；Ｎｏ）、処理された全ての紙幣の識別計数結果を操作表示部５９に表示してオペレータによる確定の操作を待つ待機状態となる（ステップＳ１１）。
【００５７】
オペレータが、操作表示部５９で確定操作を行わずにキャンセルする操作を行うと（ステップＳ１１；Ｎｏ）、この紙幣処理中に紙幣管理情報に登録された全ての紙幣の情報が削除される（ステップＳ１３）。一方、オペレータが操作表示部５９で紙幣処理（取引）を確定する操作を行うと（ステップＳ１１；Ｙｅｓ）、紙幣管理情報が更新される（ステップＳ１２）。
【００５８】
図６は、紙幣処理の確定時に行われる紙幣管理情報の更新の例を示す図である。紙幣処理（取引）が確定された後、スタッカ６０及び結束用集積部２１０に集積されている紙幣を、そのままの状態にして、次の紙幣処理（取引）を開始する残置運用と呼ばれる態様で紙幣処理が行われている場合には、図６（ａ）に示すように、確定した取引番号００１の処理に属する全ての紙幣のステータスが「確定」に更新される。
【００５９】
一方、紙幣処理が確定される度にスタッカ６０及び結束用集積部２１０に残っている全ての紙幣を装置外へ排出して、スタッカ６０及び結束用集積部２１０を空の状態にしてから次の紙幣処理を開始する態様で紙幣処理が行われている場合には、図６（ｂ）に示すように、確定した取引番号００１の処理に属する全ての紙幣のステータスが「確定」に更新されると共に、装置外に排出された紙幣の分類先が「機外」に更新される。図６（ｂ）の例では、スタッカ６０ａに集積されていた記番号Ａ００１の紙幣が、紙幣処理の完了に伴い装置外へ抜き取られるため、同図（ａ）で「ＳＴＫ１」と表示されている分類先が「機外」に更新されている。また、結束用集積部２１０ｂに集積されていた記番号Ａ００４の紙幣は、紙幣処理の完了に伴い、結束前搬送部２２０によって結束用集積部２１０ｂから抜き取られて端数紙幣返却口２８５から排出されるため、図６（ａ）で「ＳｔＳＴＫ２」と表示されている分類先が、同図（ｂ）では「機外」に更新されている。
【００６０】
結束用集積部２１０ａ〜２１０ｃに残っている紙幣の種類別の合計枚数を判定した際に（図４ステップＳ７）、ある特定の種類の紙幣の合計枚数が１００枚以上であった場合には（ステップＳ７；Ｙｅｓ）、操作表示部５９に、再処理を行うか否かをオペレータに尋ねる再処理ガイダンスの画面が表示される（ステップＳ８）。ここで、再処理とは、既に分類処理によってスタッカ６０又は結束用集積部２１０に集積されている紙幣を装置外に排出して、再度、受入部１１に載置して分類処理を実行することを言う。
【００６１】
図７は、操作表示部５９に表示される再処理時の画面例である。図７（ａ）に示すように、画面上には、オペレータに対して、結束用集積部２１０ａ〜２１０ｃに残っている紙幣によってさらに結束紙幣を作成できることを示すメッセージと、再処理を行って結束紙幣を作成するか否かを尋ねるメッセージと、結束用集積部２１０ａ〜２１０ｃのそれぞれに残っている紙幣の種類及び枚数と、これらを合計した紙幣枚数とが表示される。
【００６２】
図７（ａ）の例では、金種と正損が同じ紙幣について、結束用集積部２１０ａ〜２１０ｃに残っている紙幣の種類別の合計枚数を判定している。具体的には、ＳｔＳＴＫ１と表示された結束用集積部２１０ａに表向きの正券の１００ドル紙幣が７０枚、ＳｔＳＴＫ２と表示された結束用集積部２１０ｂに裏向きの正券の１００ドル紙幣が４０枚集積されており、紙幣結束装置２００内に、合計１１０枚の正券の１００ドル紙幣が残っていることを示している。このように、紙幣分類装置１００及び紙幣結束装置２００の構造概略を画面上にグラフィック表示して、各結束用集積部２１０ａ〜２１０ｃに集積された紙幣の情報を表示することにより、オペレータは、装置内の紙幣の集積状況を容易に認識することができる。また、再処理を行う場合に処理することになる紙幣の合計枚数が表示されるので、再処理を行うか否かの参考情報とすることができる。
【００６３】
具体的には、再処理することになる紙幣の合計枚数を表示することにより、例えば、再処理を行って１００枚の結束紙幣をもう１つ作成するために、１１０枚の紙幣を再処理すればよいのであれば再処理を行うと判断したり、１９０枚の紙幣を再処理する必要があれば処理時間を考慮して再処理を行わないと判断したりすることができる。なお、再処理を実行するか否かを判断するための情報として、再処理を行うために必要な処理時間を予測して操作表示部５９の画面上に表示することも可能となっている。具体的には、制御部５０が、受入部１１から結束用集積部２１０ａまでの搬送距離及び搬送速度、再処理される紙幣の合計枚数等に基づいて処理時間を算出して、これを画面上に表示する。
【００６４】
操作表示部５９に表示された再処理ガイダンスを確認したオペレータが、再処理を行わないと判断して、図７（ａ）に示す画面で「Ｎｏ」を選択した場合には（図４ステップＳ９；Ｎｏ）、上述したように、ステップＳ１１の処理と、ステップＳ１２又はＳ１３の処理とが行われる。
【００６５】
一方、オペレータが再処理を行うと判断して、図７（ａ）に示す画面で「Ｙｅｓ」を選択した場合には（図４ステップＳ９；Ｙｅｓ）、再処理の処理対象となる全ての紙幣が集積部から抜き取られるのを待つ待機状態となる（ステップＳ１０；Ｎｏ）。
【００６６】
結束用集積部２１０ａ〜２１０ｃに残されていた全ての紙幣を、結束前搬送部２２０によって抜き取って端数紙幣返却口２８５に排出する処理が行われると、制御部５０は、全ての紙幣が抜き取られたと判定して（ステップＳ１０；Ｙｅｓ）、ステップＳ１に戻って再処理を開始する。このとき、制御部５０は、紙幣管理情報を更新する。
【００６７】
図８は、再処理の開始時に行われる紙幣管理情報の更新の例を示す図である。例えば、図５（ｃ）に示すように記番号Ａ２５０までの紙幣が識別計数された状態から、さらに紙幣処理が行われ、図８（ａ）に示すように記番号Ａ３００までの紙幣が紙幣管理情報に登録された状態で、再処理が開始されると、結束用集積部２１０ａ、２１０ｂに集積されていた紙幣の紙幣情報が紙幣管理情報から削除される。具体的には、図８（ａ）に示す紙幣情報のうち、結束用集積部２１０ａ（図中ＳｔＳＴＫ１）に集積されていた記番号Ａ００６、Ａ２９９等の紙幣は再処理の処理対象として装置外へ排出されるため、これらの紙幣の情報が、紙幣管理情報から削除される。また、結束用集積部２１０ｂ（ＳｔＳＴＫ２）に集積されていた記番号Ａ００４、Ａ２１０、Ａ３００等の紙幣についても、同様に、再処理対象として装置外へ排出されるため、これらの紙幣の情報が紙幣管理情報から削除される。この結果、図８（ａ）に示す紙幣管理情報は、再処理の開始に伴って、同図（ｂ）に示す状態となる。
【００６８】
このとき、再処理の処理対象となる紙幣の紙幣管理情報を削除せずに、それらの紙幣管理情報に、再処理の処理対象となった旨、又は再処理が実行された旨を示す所定情報を付加するようにしてもよい。この場合は、後述する、再処理された紙幣の情報を紙幣管理情報に登録する処理を、所定情報を付加した情報を再処理した紙幣の情報で上書きして行う態様であってもよいし、所定情報を付加した情報を残したまま再処理した紙幣の情報を追加して登録する態様であってもよい。
【００６９】
オペレータが、結束用集積部２１０ａ〜２１０ｃから端数紙幣返却口２８５に排出された紙幣を受入部１１に載置して再処理を開始する（図４ステップＳ１）。再処理を開始する際には、操作表示部５９に、結束用集積部２１０ａから抜き取られた表向きの紙幣と結束用集積部２１０ｂから抜き取られた裏向きの紙幣とを、表裏を揃えた状態で受入部１１に載置するよう指示する情報が表示される。
【００７０】
例えば、図７（ａ）及び図８（ａ）に示したように、結束用集積部２１０ａに正券かつ表向きの１００ドル紙幣が７０枚集積されており、結束用集積部２１０ｂに正券かつ裏向きの１００ドル紙幣が４０枚集積されている場合に、端数紙幣返却口２８５では、各結束用集積部２１０ａ、２１０ｂに集積された向きのままで紙幣が排出されるので、結束用集積部２１０ａの紙幣は表向きの状態で排出され、結束用集積部２１０ｂの紙幣は裏向きの状態で排出される。これらの紙幣を再処理することにより、表裏を揃えた１００ドル紙幣１００枚から成る結束紙幣を作成するため、操作表示部５９には、結束用集積部２１０ａ、２１０ｂから端数紙幣返却口２８５に排出された合計１１０枚の１００ドル紙幣を、表裏を揃えた状態で受入部１１へ載置するよう促す情報が操作表示部５９に表示される。図７（ｂ）は、このとき操作表示部５９に表示される画面例を示している。
【００７１】
オペレータは、操作表示部５９の表示に従って、結束用集積部２１０ａ、２１０ｂから排出された合計１１０枚の１００ドル紙幣を、表裏を揃えた状態で受入部１１へ載置して、図７（ｂ）に示す画面で「再処理開始」ボタンを選択して再処理を開始する（図４ステップＳ１）。再処理では、上述したように、各紙幣を識別計数すると共に記番号を取得して、これらを紙幣管理情報に登録する処理が行われる（ステップＳ２）。なお、このとき「キャンセル」ボタンを選択して再処理をキャンセルすることもできる。再処理をキャンセルした場合は、再処理の対象として結束用集積部２１０から抜き取られた紙幣は確定済みの紙幣として扱われ、更新された紙幣管理情報も元の情報に再更新される。
【００７２】
図９は、再処理の開始後に行われる紙幣管理情報の更新の例を示す図である。図８（ｂ）に示す状態から再処理が開始されると、再処理された紙幣の識別結果、記番号等の情報が紙幣管理情報に登録される。例えば、オペレータが、結束用集積部２１０ｂから排出された記番号Ａ００４、Ａ２１０、Ａ３００の紙幣を含む裏向きの紙幣を反転して表向きの状態にして、結束用集積部２１０ａから排出された記番号Ａ００６、Ａ２９９の紙幣を含む表向きの紙幣の上に重ねて受入部１１に載置すると、受入部１１では、一番下にある紙幣から順に装置内に繰り出される。この結果、図９（ａ）に示すように、再処理開始時に紙幣管理情報に既に登録されていた記番号Ａ２５０の紙幣の後に、続けて、再処理開始後に結束用集積部２１０ａから排出された記番号Ａ００６、Ａ２９９等の紙幣が登録された後、結束用集積部２１０ｂから排出された記番号Ａ３００、Ａ２１０等の紙幣が登録されることになる。
【００７３】
受入部１１の紙幣は正券かつ表向きの１００ドル紙幣であるため、新たに紙幣管理情報に登録される紙幣は、正券かつ表向きの１００ドル紙幣として、結束用集積部２１０ａに集積される。この結果、紙幣管理情報では、図９（ａ）に示すように、再処理された紙幣の情報が、分類先を「ＳｔＳＴＫ１」、ステータスを「未確定」として登録される。
【００７４】
結束用集積部２１０ａに集積された紙幣の集積枚数が１００枚に到達するまで（図４ステップＳ３；Ｎｏ）、再処理する紙幣を識別計数して結束用集積部２１０ａに集積すると共に、記番号等を紙幣管理情報に登録する処理が繰り返される（ステップＳ６；Ｙｅｓ、ステップＳ１、Ｓ２）。そして、結束用集積部２１０ａに集積された紙幣の集積枚数が１００枚に到達すると（ステップＳ３；Ｙｅｓ）、この１００枚の紙幣が結束部２５０によって結束されて（ステップＳ４）、紙幣管理情報が更新される（ステップＳ５）。例えば、図９（ａ）に示すように、記番号Ａ２１０の紙幣が結束用集積部２１０ａに集積された時点で集積枚数が１００枚に到達した場合には、紙幣の結束処理に伴い、図９（ａ）に示す記番号Ａ００６〜Ａ２１０の紙幣のステータスが、同図（ｂ）に示すように未確定から仮確定に更新される。
【００７５】
こうして受入部１１に載置された合計１１０枚の紙幣のうち、１００枚の紙幣を結束しながら、残り１０枚の紙幣についても同様に（図４ステップＳ６；Ｙｅｓ）、これらを識別計数して結束用集積部２１０ｂに集積しながら紙幣管理情報に記番号を登録する処理を繰り返す（ステップＳ１、Ｓ２、ステップＳ３；Ｎｏ、ステップＳ６；Ｙｅｓ）。この結果、紙幣管理情報は、図９（ｂ）に示すように、結束紙幣に含まれる記番号Ａ００６〜Ａ２１０の１００枚の紙幣はステータスが「仮確定」、Ａ２１０より後に処理された記番号Ａ００４を含む１０枚の紙幣はステータスが「未確定」の状態で、１１０枚の紙幣を再識別する処理を完了する（図４ステップＳ６；Ｎｏ）。
【００７６】
結束用集積部２１０ａの紙幣を結束した後、結束用集積部２１０ｂに集積された状態で残っている紙幣は１０枚のみであるため（ステップＳ７；Ｎｏ）、処理結果を操作表示部５９に表示してオペレータによる確定の操作を待つ待機状態となる（ステップＳ１１）。そして、上述したように、オペレータによる確定又はキャンセルの操作に応じて、ステップＳ１１の処理と、ステップＳ１２又はＳ１３の処理とが行われて処理を完了する。具体的には、図６を参照しながら説明した通り、残置運用で紙幣処理を行っている場合には、再処理の取引を確定すると（ステップＳ１１；Ｙｅｓ）、紙幣管理情報では、図９（ｂ）に示す全ての紙幣のステータスを「確定」に更新してから処理を終了する。また、残置運用によらずに紙幣処理を行っている場合には、加えて、再処理の完了に伴ってスタッカ６０から抜き取られる紙幣及び結束用集積部２１０から排出される紙幣の分類先を「機外」に更新してから処理を終了する。
【００７７】
このように、再処理前には結束用集積部２１０ａ、２１０ｂに合計１１０枚の正券の１００ドル紙幣が集積されていたものが、再処理を行うことによって、再処理後には１００ドル紙幣１００枚を結束した結束紙幣がもう１つ作成され、結束用集積部２１０ｂには正券の１００ドル紙幣１０枚のみが集積された状態とすることができる。このように、紙幣処理システム３００では、再処理を行うことにより、効率よく結束紙幣を作成することができる。
【００７８】
結束用集積部２１０を対象として説明した再処理は、スタッカ６０でも同様に行うことができる。例えば、スタッカ６０ａに正券かつ表向きの１００ドル紙幣を集積して、スタッカ６０ｂに正券かつ裏向きの１００ドル紙幣を集積して、表裏を揃えた１００ドル紙幣の正券を１００枚ずつ抜き取るバッチ処理を行っている場合に、バッチ処理完了後に、スタッカ６０ａの表向きの紙幣とスタッカ６０ｂの裏向きの紙幣との合計枚数が１００枚以上であれば、制御部５０がこれを報知する。報知を受けたオペレータが再処理を実行する際には、スタッカ６０ａ、６０ｂの紙幣を抜き取って、表裏を揃えた状態で受入部１１に載置して再処理を開始する。そして、上述したように紙幣管理情報から、再処理する紙幣の情報を削除して、再処理による識別結果に基づいて紙幣管理情報を更新する。これにより、スタッカ６０についても、再処理を行って効率よく紙幣束を作成することができる。
【００７９】
なお、紙幣処理システム３００では、紙幣処理を行っている間にエラーが生じた場合にも、再処理を行うようになっている。図１０は、エラー発生時の再処理で行われる紙幣管理情報の更新の例を示す図である。
【００８０】
例えば、残置運用による紙幣処理を行っている場合に、図６（ａ）に示すように記番号Ａ００１〜Ａ２５０までの紙幣を含む取引番号００１の紙幣処理が確定した後、続けて取引番号００２の紙幣処理を開始して、記番号Ａ２５１、Ａ２５２の２枚の紙幣を正常に処理した後に搬送路に紙幣が詰まるジャムが発生した場合には、紙幣管理情報は、図１０（ａ）に示す状態となる。
【００８１】
図１０（ａ）に示す紙幣管理情報では、確定した取引番号００１の処理に属する全ての紙幣のステータスが「確定」、処理中の取引番号００２の処理に属する紙幣のステータスが「未確定」となっている。残置運用では、処理確定時にスタッカ６０及び結束用集積部２１０に集積されている紙幣を抜き取らず、そのままの状態で次の処理を開始する。このため、図１０（ａ）の例では、紙幣管理情報で分類先がＳＴＫ１と表示されるスタッカ６０ａ内で、取引番号００１の処理に属する記番号Ａ００１等の紙幣の上に、取引番号００２の処理に属する記番号Ａ２５１、Ａ２５２の紙幣が集積された状態にある。
【００８２】
ジャムによるエラーが発生すると、オペレータは、搬送部７０に詰まった紙幣を取り除いてエラーを解除する作業を行う。そして、操作表示部５９を操作して再処理を開始すると、操作表示部５９には、スタッカ６０及び結束用集積部２１０に集積されている全ての紙幣を抜き取って、受入部１１に載置するよう促す情報が表示される。このとき、スタッカ６０での集積枚数が１００枚に到達してスタッカ６０から抜き取られた紙幣と、結束用集積部２１０での集積枚数が１００枚に到達して結束された結束紙幣とはそのままにして、受入部１１に載置せずに処理が進められる。
【００８３】
再処理が開始されると、制御部５０によって紙幣管理情報が更新される。具体的には、図１０（ａ）に示す状態でエラーが解除され、スタッカ６０及び結束用集積部２１０から全ての紙幣が抜き取られると、制御部５０がこれを検知して、抜き取られた紙幣に対応する全ての情報を紙幣管理情報から削除する。この結果、紙幣管理情報は図１０（ｂ）に示す状態となる。具体的には、図１０（ａ）に示す紙幣管理情報から、取引番号００１の処理に属する紙幣として登録されていた、分類先がＳＴＫ１の記番号Ａ００１の紙幣、分類先がＳｔＳＴＫ２の記番号Ａ００４の紙幣等の情報が削除される。また、取引番号００２の処理に属する紙幣として登録されていた記番号Ａ２５１、Ａ２５２の紙幣の情報も削除される。再処理では、識別部５５が、これらの削除された情報に対応する紙幣を再度、識別計数する。
【００８４】
受入部１１に載置された紙幣の再処理が開始されると、識別部５５による紙幣の識別結果に基づいて、確定済みの取引番号００１の紙幣管理情報を再現するための処理が行われる。具体的には、制御部５０は、取引番号００１の処理に属していながら再処理のためにスタッカ６０及び結束用集積部２１０から抜き取られた紙幣と同じ種類の紙幣を、取引番号００１に属する紙幣として、紙幣管理情報に登録する。このとき、制御部５０は、紙幣の記番号は問わず、紙幣の分類先及び種類が再処理前と同一となる紙幣を、取引番号００１の処理に属する紙幣として紙幣管理情報に登録する。
【００８５】
例えば、図１０（ａ）及び（ｂ）に示すように、取引番号００１の処理に属する記番号Ａ００１の紙幣が再処理のために抜き取られている場合には、再処理開始後に、最初に、記番号Ａ００１と同じくスタッカ６０ａ（図中ＳＴＫ１）に集積された正券かつ表向きの５０ドル紙幣が、取引番号００１の処理に属する紙幣として紙幣管理情報に登録される。図１０（ｃ）の例では、記番号Ａ００１の紙幣に代えて、記番号Ａ２５２の紙幣が取引番号００１の処理に属する紙幣として登録されている。また、取引番号００１の処理に属していた記番号Ａ００４の紙幣が、再処理のために結束用集積部２１０ｂから抜き取られたことにより、図１０（ｃ）に示すように、記番号Ａ００４の紙幣に代えて、この紙幣と同じく結束用集積部２１０ｂ（ＳｔＳＴＫ２）に集積された正券かつ裏向きの記番号Ａ３０１の１００ドル紙幣が、取引番号００１の処理に属する紙幣として登録される。
【００８６】
図１０（ａ）と（ｃ）との比較から分かるように、取引番号００１の処理に属していた紙幣に代えて紙幣管理情報に登録する紙幣として、記番号は問わず、紙幣管理情報上で分類先、ステータス、金種、正損及び表裏の種類が同一となる紙幣が選択される。取引番号００１の処理に属する紙幣として登録された紙幣は、確定済みの処理に属する紙幣であるため、登録時からステータスは「確定」となる。
【００８７】
なお、紙幣管理情報上で取引番号００１の処理の紙幣情報が再現されるまでの間に、取引番号００１に属さない種類の紙幣が得られた場合には、取引番号００２の処理に属する紙幣として登録される。例えば、図１０（ａ）に示すように、取引番号００１の処理に属する紙幣の中にスタッカ６０ｂ（ＳＴＫ２）に集積されている紙幣は含まれていない。このため、例えば、再処理開始直後に、スタッカ６０ｂに集積された紙幣は、取引番号００１の紙幣情報の再現には利用されず、取引番号００２に属する紙幣として紙幣管理情報に登録される。図１０（ｃ）の例では、スタッカ６０ｂに集積された記番号Ａ３０２の紙幣が、取引番号００２の処理に属する紙幣として登録されている。取引番号００２の処理は、未確定のままエラーを解除して再開された処理であるため、登録時のステータスは、通常の処理時と同様に「未確定」となる。
【００８８】
こうして、再処理開始後に、確定済みの取引番号００１の処理に属する紙幣情報を紙幣管理情報に登録して、記番号を除いて、図１０（ａ）に示す取引番号００１の状態を再現すると、その後は、識別計数された全ての紙幣の情報が取引番号００２の処理に属する紙幣として紙幣管理情報に登録される。以降の処理は図４を参照しながら説明した処理と同じであるため説明は省略する。
【００８９】
このように、エラー解除後に行われる再処理では、記番号を問わずに紙幣の分類先及び種類に基づいて取引番号００１の紙幣情報が再現されるため、エラー発生時には取引番号００１の処理に属していなかった紙幣が取引番号００１の処理に属する紙幣として登録される一方で、エラー発生時には取引番号００１の処理に属していた紙幣が取引番号００２の処理に属する紙幣として登録される場合もある。図１０の例では、エラー発生時には取引番号００２の処理に属していた記番号Ａ２５２の紙幣と、エラー発生時には紙幣管理番号に登録されていなかった記番号Ａ３０１の紙幣とが、再処理後には、取引番号００１の処理に属する紙幣として登録されている。また、図１０（ａ）に示すように、エラー発生時には、取引番号００１の処理に属していた記番号Ａ００１、Ａ００４の紙幣が、同図（ｃ）に示すように、再処理後には、取引番号００２の処理に属する紙幣として登録されている。
【００９０】
なお、本実施形態では、紙幣処理システム３００による分類処理を、２つの結束用集積部２１０に集積された紙幣を対象として再実行（再処理）する例を説明したが、紙幣処理システム３００では、３つ以上の結束用集積部２１０を対象とする場合も、同様の処理を実行できるようになっている。具体的には、例えば、正券の１００ドル紙幣を、天地及び表裏の方向が揃うように４つの結束用集積部に分類して集積して、１００枚ずつ結束する処理を行った後、４つの結束用集積部から紙幣を集めて天地及び表裏の方向を揃えて再処理することにより、１つ以上の結束紙幣を作成できる場合には、これが報知されるようになっている。３つ以上のスタッカ６０を対象とする場合も同様である。
【００９１】
上述したように、本実施形態によれば、紙幣処理システム３００による分類処理として、紙幣結束装置２００に設けられた複数の結束用集積部２１０及び結束部２５０によって、表裏を揃えた同じ種類の紙幣を所定枚数ずつ結束して結束紙幣を作成する結束処理を行って、全ての紙幣の識別計数を終えた段階で複数の結束用集積部２１０に集積された状態で残っている紙幣の表裏を揃えることによって結束紙幣をもう１つ作成できる場合にこれが報知される。報知を受けたオペレータが再処理を行うことにより、さらに結束紙幣を作成することができるので、効率よく結束紙幣を作成することができる。同様に、紙幣処理システム３００による分類処理として、複数のスタッカ６０によって、同じ種類の紙幣を所定枚数ずつまとめた紙幣束を作成するバッチ処理を行って、全ての紙幣の識別計数を終えた段階で複数のスタッカ６０に集積された状態で残っている紙幣によって、同じ種類の紙幣を所定枚数まとめた紙幣束をもう１つ作成できる場合にこれが報知される。報知を受けたオペレータが再処理を行うことにより、さらに紙幣束を作成することができるので、効率よく紙幣束を作成することができる。
【００９２】
また、再処理ができることを示す情報、再処理を間違いなく行うために必要な情報等、再処理に必要な情報が操作表示部５９にガイダンスとして表示されるので、オペレータは容易に処理を進めることができる。
【００９３】
また、各紙幣処理を取引として区別して、各取引に属する全ての記番号を紙幣管理情報へ登録して管理することができる。結束用集積部２１０に残っている紙幣を再処理することにより結束紙幣を作成する場合にも、再処理に応じて紙幣管理情報が更新されるので、再処理後の紙幣についても、結束紙幣に含まれる全ての紙幣と、結束されることなく結束用集積部２１０に残された紙幣の記番号や金種等の情報を紙幣管理情報で管理することができる。同様に、スタッカ６０でバッチ処理を行ってスタッカ６０に残っている紙幣を再処理する場合も、全ての紙幣の情報を紙幣管理情報で管理することができる。また、結束紙幣が結束ＩＤによって管理され、紙幣束がバッチＩＤによって管理されるので、紙幣処理システム３００で処理された全ての紙幣を厳正に管理することができる。
【産業上の利用可能性】
【００９４】
以上のように、本発明に係る紙葉類処理システム及び紙葉類処理方法は、特定の種類の紙葉類を所定枚数ずつ結束する処理を効率よく行うために有用な技術である。
【符号の説明】
【００９５】
１  筐体
１０  取込部
１１  受入部
５０  制御部
５５  識別部
５６  記憶部
５９  操作表示部
６０、６０ａ〜６０ｄ  スタッカ
６２ａ〜６２ｄ  個別表示部
６５、６５ａ、６５ｂ  第１リジェクト部
７０  搬送部
７１  分岐部材
７２、７３、２１３  センサ
１００  紙幣分類装置
２００  紙幣結束装置
２１０、２１０ａ〜２１０ｃ  結束用集積部
２２０  結束前搬送部
２５０  結束部
２６０  結束後搬送部
２６１  把持搬送部
２６２  結束紙幣リフト部
２７０  結束紙幣集積部
２８０  束放出部
２８５  端数紙幣返却口
２９０  第２リジェクト部
３００  紙幣処理システム
【図１】
2016133935.tif 000003
【図２】
2016133935.tif 000004
【図３】
2016133935.tif 000005
【図４】
2016133935.tif 000006
【図５】
2016133935.tif 000007
【図６】
2016133935.tif 000008
【図７】
2016133935.tif 000009
【図８】
2016133935.tif 000010
【図９】
2016133935.tif 000011
【図１０】
2016133935.tif 000012